(57)【要約】【課題】簡易な構成でありながら、コンテンツに関するより多くの情報を容易にユーザに提供できるようにする。【解決手段】ＴＶ受像機２が、番組情報を取得し、取得した番組情報を、キーワード抽出サーバ４Ｄに送信することで当該番組情報から抽出されたキーワードを取得し、取得したキーワードを、検索サーバ４Ｅに送信することで当該キーワードをもとに検索されたインターネット３上の情報を取得して表示する。これにより、ＴＶ受像機２は、簡易な構成でありながら、番組に関するより多くの情報を容易にユーザに提供することができる。【選択図】図１
2010087976.tif 000002
【特許請求の範囲】
【請求項１】
コンテンツに関する文字情報でなるコンテンツ情報を取得するコンテンツ情報取得部と、
上記コンテンツ情報取得部により取得されたコンテンツ情報を、当該コンテンツ情報からキーワードを抽出するキーワード抽出サーバに送信して、当該コンテンツ情報から抽出されたキーワードを、当該キーワード抽出サーバから取得するキーワード取得部と、
上記キーワード取得部により取得されたキーワードを、当該キーワードをもとにインターネット上の情報を検索する検索サーバに送信して、当該キーワードをもとに検索された情報を、当該検索サーバから取得する検索情報取得部と、
上記検索情報取得部により取得された情報を表示部に表示させる表示制御部と
を具える情報処理装置。
【請求項２】
上記コンテンツは番組であり、上記コンテンツ情報は電子番組ガイド情報に含まれる番組情報である
請求項１に記載の情報処理装置。
【請求項３】
上記番組の映像データを取得する番組映像取得部と、
上記番組映像取得部により取得された映像データを再生する再生部と
を具え、
上記表示制御部は、
上記再生部により再生された映像データに基づく映像と共に、上記検索情報取得部により取得された情報を表示部に表示させる
請求項２に記載の情報処理装置。
【請求項４】
コンテンツに関する文字情報でなるコンテンツ情報をコンテンツ情報取得部が取得し、
取得した上記コンテンツ情報を、当該コンテンツ情報からキーワードを抽出するキーワード抽出サーバに送信して、当該コンテンツ情報から抽出されたキーワードを、当該キーワード抽出サーバからキーワード取得部が取得し、
取得した上記キーワードを、当該キーワードをもとにインターネット上の情報を検索する検索サーバに送信して、当該キーワードをもとに検索された情報を、当該検索サーバから検索情報取得部が取得し、
取得した上記情報を表示制御部が表示部に表示させる
情報取得方法。
【請求項５】
コンピュータに、
コンテンツに関する文字情報でなるコンテンツ情報をコンテンツ情報取得部が取得し、
取得した上記コンテンツ情報を、当該コンテンツ情報からキーワードを抽出するキーワード抽出サーバに送信して、当該コンテンツ情報から抽出されたキーワードを、当該キーワード抽出サーバからキーワード取得部が取得するステップと、
取得した上記キーワードを、当該キーワードをもとにインターネット上の情報を検索する検索サーバに送信して、当該キーワードをもとに検索された情報を、当該検索サーバから検索情報取得部が取得するステップと、
取得した上記情報を表示制御部が表示部に表示させるステップと
を実行させるための情報取得プログラム。
【請求項６】
コンテンツに関する文字情報でなるコンテンツ情報からキーワードを抽出するキーワード抽出サーバと、
上記キーワードをもとに、インターネット上の情報を検索する検索サーバと、
上記コンテンツ情報を取得し、取得したコンテンツ情報を、上記キーワード抽出サーバに送信して、当該コンテンツ情報から抽出されたキーワードを、当該キーワード抽出サーバから取得し、取得したキーワードを、上記検索サーバに送信して、当該キーワードをもとに検索された情報を、当該検索サーバから取得し、取得した情報を表示部に表示させる情報処理装置と
を具える情報検索システム。
【発明の詳細な説明】
【技術分野】
【０００１】
本発明は、情報処理装置、情報取得方法、情報取得プログラム及び情報検索システムに関し、例えば、番組に関する様々な情報を取得する際に適用して好適なものである。
【背景技術】
【０００２】
近年、放送される番組に関する情報として、ＥＰＧ（Electronic  Program  Guide）情報が広く利用されている。このＥＰＧ情報は、電子番組ガイド情報とも呼ばれ、放送される番組ごとに、番組タイトル、放送局名、放送日時、番組概要、番組詳細、出演者名、ジャンルなどが番組情報として含まれている。
【０００３】
このＥＰＧ情報は、例えば、放送局から番組映像及び番組音声と共に、もしくはインターネット上の所定のサーバから、種々の装置に提供される。
【０００４】
例えばテレビジョン受像機では、取得したＥＰＧ情報をもとに番組表を生成して表示することで、放送される番組の番組情報をユーザに提示する。そしてテレビジョン受像機は、番組表からユーザに選択された番組にチャンネルを切り替えたり、その番組の視聴を予約したりできるようになっている。
【０００５】
また、例えば番組録画装置では、取得したＥＰＧ情報をもとに番組表を生成して外部のディスプレイに表示することで、放送される番組の番組情報をユーザに提示する。そして番組録画装置は、番組表からユーザに選択された番組の録画を予約できるようになっている。
【０００６】
このように、テレビジョン受像機や番組録画装置では、ＥＰＧ情報を利用することで、放送される番組の番組情報をユーザに提示して、ユーザに所望の番組を容易に選択させることができるようになっている。
【０００７】
さらに、取得したＥＰＧ情報に含まれる文字情報（番組概要、番組詳細など）から単語を抽出して、この単語を文字入力時の候補としてディスプレイに表示することで、文字入力を容易にした文字入力装置も提案されている（例えば特許文献１参照）。
【特許文献１】特開２００４−２９７２０２公報
【発明の開示】
【発明が解決しようとする課題】
【０００８】
ところで、近年、テレビジョン受像機や番組録画装置などの多くが、インターネット接続機能を有している。そこで、例えばテレビジョン受像機が、ＥＰＧ情報から抽出した単語を検索キーワードとして、インターネット上の検索サーバに検索させた情報を取得するようにすれば、番組に関する情報として、ＥＰＧ情報には含まれない情報もユーザに提供できると考えられる。
【０００９】
しかしながら、ＥＰＧ情報から単語を抽出する為には、文法の規則、単語の辞書と言った多くの情報が必要であり、これらの情報をテレビジョン受像機に記憶させるとなると、テレビジョン受像機の記憶容量を増加させなければならない。
【００１０】
また、ＥＰＧ情報から単語を抽出する為には、形態素解析を利用することが一般的であるが、この形態素解析を他の処理と共にテレビジョン受像機に行わせるとなると、テレビジョン受像機の処理能力を向上させなければならない。
【００１１】
つまりテレビジョン受像機が、ＥＰＧ情報から抽出した単語を検索キーワードとして検索サーバから情報を取得するようにすれば、番組に関するより多くの情報を容易にユーザに提供できるようになる反面、テレビジョン受像機の構成が複雑になってしまう。
【００１２】
本発明は以上の点を考慮してなされたもので、簡易な構成でありながら、コンテンツに関するより多くの情報を容易にユーザに提供し得る情報処理装置、情報取得方法及び情報取得プログラムを提案しようとするものである。
【課題を解決するための手段】
【００１３】
かかる課題を解決するため本発明の情報処理装置において、コンテンツに関する文字情報でなるコンテンツ情報を取得するコンテンツ情報取得部と、コンテンツ情報取得部により取得されたコンテンツ情報を、当該コンテンツ情報からキーワードを抽出するキーワード抽出サーバに送信して、当該コンテンツ情報から抽出されたキーワードを、当該キーワード抽出サーバから取得するキーワード取得部と、キーワード取得部により取得されたキーワードを、当該キーワードをもとにインターネット上の情報を検索する検索サーバに送信して、当該キーワードをもとに検索された情報を取得する検索情報取得部と、検索情報取得部により取得された情報を表示部に表示させる表示制御部とを設けるようにした。
【００１４】
こうすることで、本発明の情報処理装置では、ユーザにキーワード入力操作などをさせることなく、外部のサーバにコンテンツ情報から抽出させたキーワードをもとに検索させた結果得られる情報をユーザに提供することができる。
【発明の効果】
【００１５】
本発明によれば、情報処理装置が、ユーザにキーワード入力操作などをさせることなく、外部のサーバにコンテンツ情報からキーワードを抽出させて当該キーワードをもとに検索させた結果得られる情報をユーザに提供することができる。かくして本発明によれば、簡易な構成でありながら、コンテンツに関するより多くの情報を容易にユーザに提供し得る情報処理装置、情報取得方法、情報取得プログラム及び情報検索システムを実現できる。
【発明を実施するための最良の形態】
【００１６】
以下、図面について、本発明の一実施の形態を詳述する。
【００１７】
（１）情報検索システムの構成
図１において１は、放送コンテンツとしての番組に関する様々な情報を検索してユーザ（視聴者）に提供する情報検索システムを示す。
【００１８】
この情報検索システム１は、インターネット接続機能を有するテレビジョン受像機（これをＴＶ受像機とも呼ぶ）２と、インターネット３上の複数のサーバ４Ａ〜４Ｅとで構成される。ＴＶ受像機２は、ルータ５を介してインターネット３に接続されることで、複数のサーバ４Ａ〜４Ｅと通信できるようになっている。
【００１９】
ＴＶ受像機２は、放送局６から送信されるテレビジョン放送波（これをＴＶ放送波とも呼ぶ）を受信して、このＴＶ放送波から番組映像及び番組音声を抽出して出力することで、ユーザに番組を視聴させることができるようになっている。
【００２０】
複数のサーバ４Ａ〜４Ｅのうちのサーバ４Ａは、ＥＰＧ情報から得られる任意の番組の番組情報をＴＶ受像機２に提供するサーバである。このサーバ４Ａを、番組情報提供サーバ４Ａとも呼ぶ。
【００２１】
サーバ４Ｂは、ＴＶ受像機２で動作可能なアプリケーションのカタログ（すなわちリスト）をＴＶ受像機２に提供するサーバである。尚、ここで言うアプリケーションとは、簡易的な機能を実現するプログラムのことであり、ウィジットもしくはガジェットと呼ばれるものである（ここではウィジットと呼ぶことにする）。このサーバ４Ｂを、ウィジットリスト提供サーバ４Ｂと呼ぶことにする。
【００２２】
サーバ４Ｃは、ウィジットリスト提供サーバ４Ｂから提供されるウィジットのリスト（これをウィジットリストとも呼ぶ）に記載されているウィジットのうちの１つである検索ウィジットをＴＶ受像機２に提供するサーバである。この検索ウィジットは、詳しくは後述するが、簡単に言うと、番組の映像と共に、その番組に関するインターネット３上の様々な情報を検索して表示するアプリケーションである。このサーバ４Ｃを、ウィジット提供サーバ４Ｃとも呼ぶ。
【００２３】
サーバ４Ｄは、番組情報に含まれる文字列から名詞（番組タイトル、出演者名など）をキーワードとして抽出するサーバである。このサーバ４Ｄをキーワード抽出サーバ４Ｄとも呼ぶ。
【００２４】
サーバ４Ｅは、キーワードを検索条件として、インターネット３上の情報を検索するサーバである。このサーバ４Ｅを検索サーバ４Ｅとも呼ぶ。
【００２５】
そしてこの情報検索システム１では、ＴＶ受像機２が、ウィジットリスト提供サーバ４Ｂからウィジットリストを取得して、このウィジットリストを表示する。ＴＶ受像機２は、ユーザ操作により、このウィジットリストから検索ウィジットが選択されると、検索ウィジットをウィジット提供サーバ４Ｃから取得して、この検索ウィジットに基づく画面（これを検索ウィジット画面とも呼ぶ）を表示する。
【００２６】
次にＴＶ受像機２は、現在放送中の番組の番組情報を、番組情報提供サーバ４Ａから取得する。ＴＶ受像機２は、この番組情報のうちの例えばユーザが現在視聴中の番組の番組情報をキーワード抽出サーバ４Ｄに送り、この結果として、番組情報から抽出されたキーワードをキーワード抽出サーバ４Ｄから取得する。
【００２７】
そしてＴＶ受像機２は、取得したキーワードを検索サーバ４Ｅに送り、この結果として、キーワードを検索条件としてインターネット３上で検索された情報を検索サーバ４Ｅから取得して、これを検索ウィジット画面に表示する。
【００２８】
このように、この情報検索システム１では、現在視聴中の番組の番組情報からキーワードを自動的に抽出して、このキーワードをもとにインターネット３上で検索した情報をＴＶ受像機２に表示させる。
【００２９】
こうすることで、この情報検索システム１では、ユーザにキーワード入力操作などをさせることなく、現在視聴中の番組の番組情報から抽出したキーワードをもとにインターネット３上で検索した情報をユーザに提供できる。
【００３０】
（２）ＴＶ受像機の内部構成
次にＴＶ受像機２の内部構成について図２を用いて説明する。このＴＶ受像機２は、リモートコントローラ（これをリモコンとも呼ぶ）ＲＭから赤外線信号を受光部１０で受光する。受光部１０は、受光した赤外線信号からユーザ操作に対応する操作信号を得、これをＣＰＵ（Central  Processing  Unit）１１に送る。
【００３１】
ＣＰＵ１１は、ＲＯＭ（Read  Only  Memory）１２に書き込まれているプログラムを、ＲＡＭ（Random  Access  Memory）１３にロードする。そしてＣＰＵ１１は、受光部１０から送られてくる操作信号に従って、ＲＡＭ１３にロードしたプログラムを実行することで全体を制御して各種機能を実現する。
【００３２】
具体的に、ＴＶ受像機２は、ＴＶ放送波を受信したアンテナＡＴから送られてくるＴＶ放送信号をチューナ１４に入力する。チューナ１４は、ＣＰＵ１１の制御のもと、例えば、リモコンＲＭの操作により指定されたチャンネルのトランスポートストリームを得て、これをデスクランブラ１５に送る。
【００３３】
デスクランブラ１５は、ＣＰＵ１１の制御のもと、トランスポートストリームのスクランブルを解除する為の鍵を、ＴＶ受像機２に装着された所定のＩＣカード（図示せず）から得、この鍵で、送られてきたトランスポートストリームのスクランブルを解除する。そしてこのスクランブルが解除されたトランスポートストリームは、デマルチプレクサ（ＤＥＭＵＸ）１６に送られる。
【００３４】
デマルチプレクサ１６は、ＣＰＵ１１の制御のもと、スクランブルが解除されたトランスポートストリームからオーディオデータとビデオデータとを分離して、オーディオデータをオーディオデコーダ１７に送り、ビデオデータをビデオデコーダ１８に送る。
【００３５】
オーディオデコーダ１７は、ＣＰＵ１１の制御のもと、送られてきたオーディオデータをデコードすることで、番組音声データを得、これを音声処理回路１９に送る。音声処理回路１９は、送られてきた番組音声データに対して音声処理を施すことで、番組音声信号を得、これをスピーカ２０に送る。この結果、スピーカ２０から、番組音声信号に基づく番組音声が出力される。
【００３６】
一方、ビデオデコーダ１８は、ＣＰＵ１１の制御のもと、送られてきたビデオデータをデコードすることで、番組映像データを得、これを映像処理回路２１に送る。映像処理回路２１は、送られてきた番組映像データに対して映像処理を施すことで、番組映像信号を得、これをディスプレイ２２に送る。この結果、ディスプレイ２２に、番組映像信号に基づく番組映像が表示される。
【００３７】
このようにしてＴＶ受像機２は、番組をユーザに視聴させることができるようになっている。
【００３８】
また映像処理回路２１は、ＯＳＤ（On  Screen  Display）付加回路２３から送られてくる画面データに対して映像処理を施すことで画面信号を得、これをディスプレイ２０に送る。この結果、ディスプレイ２０に、画面信号に基づく各種画面が表示される。尚、ＯＳＤ付加回路２３は、ＣＰＵ１１の制御のもと、各種画面データを生成するようになっている。
【００３９】
またＴＶ受像機２は、ＬＡＮ（Local  Area  Network）コントローラ２４を介してルータ５に接続され、このルータ５を経由してインターネット３上の各種サーバ４と通信できるようになっている。
【００４０】
さらにＴＶ受像機２は、インターネット上のウィジット提供サーバ４Ｃからダウンロードしたウィジットを実行することでこのウィジットに応じた機能を実現できるようにもなっている。
【００４１】
このウィジットの１つが、上述した検索ウィジットであり、この検索ウィジットにより実現される機能（番組関連情報検索機能とも呼ぶ）の詳細については、後述する。
【００４２】
（３）各種サーバの内部構成
次に、各種サーバ４の内部構成について説明する。まずウィジットリスト提供サーバ４Ｂの内部構成について図３を用いて説明する。
【００４３】
（３−１）ウィジットリスト提供サーバの内部構成
ウィジットリスト提供サーバ４Ｂは、ＣＰＵ３０が、ＲＯＭ３１またはハードディスクドライブ３２に記憶されているプログラムをＲＡＭ３３にロードして、このプログラムを実行することで全体を制御するようになっている。
【００４４】
またウィジットリスト提供サーバ４Ｂは、ネットワークインタフェース３４を介してインターネット３に接続され、このインターネット３とルータ５を経由してＴＶ受像機２と通信できるようになっている。
【００４５】
ここで、ウィジットリスト提供サーバ４Ｂが、ネットワークインタフェース３４を介して、ＴＶ受像機２からウィジットリストの送信要求を受信したとする。するとＣＰＵ３０は、ハードディスクドライブ３２からウィジットリストを読み出して、これをネットワークインタフェース３４を介して、ＴＶ受像機２に送信する。
【００４６】
このようにしてウィジットリスト提供サーバ４Ｂは、ＴＶ受像機２にウィジットリストを提供するようになっている。
【００４７】
尚、このウィジットリストに記載されているウィジットとしては、上述した検索ウィジットの他に、例えば、お天気ウィジット、占いウィジット、ニュースウィジット、カレンダーウィジットなどがある。こられのウィジットも、検索ウィジットと同様、ＴＶ受像機２で実行可能なウィジットである。
【００４８】
例えば、お天気ウィジットは、番組の映像と共に、インターネット３上の所定のサーバから得られる天気予報の情報を表示するウィジットである。また占いウィジットは、番組の映像と共に、インターネット３上の所定のサーバから得られる占い結果を表示するウィジットである。さらにニュースウィジットは、番組の映像と共に、インターネット３上の所定のサーバから得られるニュースを表示するウィジットである。さらにカレンダーウィジットは、番組の映像と共に、カレンダーを表示するアプリケーションである。
【００４９】
このようにウィジットリストに記載されるウィジットは、ＴＶ受像機２で、番組の映像と共に、様々な情報を表示する機能を実現する為のアプリケーションである。
【００５０】
（３−２）ウィジット提供サーバの内部構成
次に、ウィジット提供サーバ４Ｃの内部構成について図４を用いて説明する。ウィジット提供サーバ４Ｃは、ＣＰＵ４０が、ＲＯＭ４１またはハードディスクドライブ４２に記憶されているプログラムをＲＡＭ４３にロードして、このプログラムを実行することで全体を制御するようになっている。
【００５１】
またウィジット提供サーバ４Ｃは、ネットワークインタフェース４４を介してインターネット３に接続され、このインターネット３とルータ５を経由してＴＶ受像機２と通信できるようになっている。
【００５２】
ここで、ウィジット提供サーバ４Ｃが、ネットワークインタフェース４４を介して、ＴＶ受像機２から検索ウィジットの送信要求を受信したとする。するとＣＰＵ４０は、ハードディスクドライブ４２から検索ウィジットを読み出して、これをネットワークインタフェース４４を介して、ＴＶ受像機２に送信する。
【００５３】
このようにしてウィジット提供サーバ４Ｃは、ＴＶ受像機２に検索ウィジットを提供するようになっている。
【００５４】
（３−３）番組情報提供サーバの内部構成
次に、番組情報提供サーバ４Ａの内部構成について図５を用いて説明する。番組情報提供サーバ４Ａは、ＣＰＵ５０が、ＲＯＭ５１またはハードディスクドライブ５２に記憶されているプログラムをＲＡＭ５３にロードして、このプログラムを実行することで全体を制御するようになっている。
【００５５】
また番組情報提供サーバ４Ａは、ネットワークインタフェース５４を介してインターネット３に接続され、このインターネット３とルータ５を経由してＴＶ受像機２と通信できるようになっている。
【００５６】
ここで、番組情報提供サーバ４Ａが、ネットワークインタフェース５４を介して、ＴＶ受像機２から現在放送中の番組の番組情報の送信要求を受信したとする。するとＣＰＵ５０は、ハードディスクドライブ５２に記憶されているＥＰＧ情報から現在放送中の番組の番組情報を抽出して、これをネットワークインタフェース５４を介して、ＴＶ受像機２に送信する。
【００５７】
このようにして番組情報提供サーバ４Ａは、ＴＶ受像機２に番組情報を提供するようになっている。尚、この番組情報提供サーバ４Ａのハードディスクドライブ５２には、例えば、図示しない放送局のサーバから定期的に送信されてくるＥＰＧ情報により、常に最新のＥＰＧ情報が記憶されるようになっている。
【００５８】
（３−４）キーワード抽出サーバの内部構成
次に、キーワード抽出サーバ４Ｄの内部構成について図６を用いて説明する。キーワード抽出サーバ４Ｄは、ＣＰＵ６０が、ＲＯＭ６１またはハードディスクドライブ６２に記憶されているプログラムをＲＡＭ６３にロードして、このプログラムを実行することで全体を制御するようになっている。
【００５９】
またキーワード抽出サーバ４Ｄは、ネットワークインタフェース６４を介してインターネット３に接続され、このインターネット３とルータ５を経由してＴＶ受像機２と通信できるようになっている。
【００６０】
ここで、キーワード抽出サーバ４Ｄが、ネットワークインタフェース６４を介して、ＴＶ受像機２から番組情報と共にキーワード抽出要求を受信したとする。するとＣＰＵ６０は、ハードディスクドライブ６２に記憶されている形態素解析プログラムを実行することで、受信した番組情報からキーワードを抽出する。
【００６１】
具体的に、ＣＰＵ６０は、ハードディスクドライブ６２に記憶されている文法の規則データ及び単語の辞書データをもとに、文字情報としての番組情報を言語で意味を持つ最小の文字列に分割して、各文字列の品詞を判別する。そしてＣＰＵ６０は、各文字列のうちの固有名詞を、キーワードとして抽出するようになっている。
【００６２】
そしてＣＰＵ６０は、抽出したキーワードを、ネットワークインタフェース６４を介して、ＴＶ受像機２に送信する。
【００６３】
このようにしてキーワード抽出サーバ４Ｄは、ＴＶ受像機２から送られてきた番組情報からキーワードを抽出して、これをＴＶ受像機２に返すようになっている。
【００６４】
（３−５）検索サーバの内部構成
次に、検索サーバ４Ｅの内部構成について図７を用いて説明する。検索サーバ４Ｅは、ＣＰＵ７０が、ＲＯＭ７１またはハードディスクドライブ７２に記憶されているプログラムをＲＡＭ７３にロードして、このプログラムを実行することで全体を制御するようになっている。
【００６５】
また検索サーバ４Ｅは、ネットワークインタフェース７４を介してインターネット３に接続され、このインターネット３とルータ５を経由してＴＶ受像機２と通信できるようになっている。
【００６６】
ここで、検索サーバ４Ｅが、ネットワークインタフェース７４を介して、ＴＶ受像機２から検索キーワードと共に検索要求を受信したとする。するとＣＰＵ７０は、ハードディスクドライブ７２に記憶されているインターネット３上から収集された膨大な情報（具体的には文字情報及び画像）のなかから、受信した検索キーワードを検索条件として情報を検索する。
【００６７】
尚、このとき検索される情報は、例えば、検索キーワードが或る出演者の名前だったとすると、この人物のプロフィールや写真などである。
【００６８】
そしてＣＰＵ７０は、この検索の結果得られた情報（文字情報及び画像）を、ネットワークインタフェース７４を介して、ＴＶ受像機２に送信する。
【００６９】
このようにして検索サーバ４Ｅは、ＴＶ受像機２から送られてきた検索キーワードをもとにインターネット３上の情報を検索して、得られた情報をＴＶ受像機２に返すようになっている。尚、この検索サーバ４Ｅのハードディスクドライブ７２には、例えば、定期的にインターネット３上から収集された情報により、常に最新の情報が記憶されるようになっている。
【００７０】
（４）検索ウィジットによる番組関連情報検索機能
ここで、ＴＶ受像機２が、検索ウィジットを実行することで実現する番組関連情報検索機能について、詳しく説明する。
【００７１】
まず、ＴＶ受像機２が、リモコンＲＭを介して選択されたチャンネルで現在放送されている番組の映像及び音声を出力しているとする。このとき、ＴＶ受像機２のディスプレイ２２には、図８に示すように、表示面２２Ａとほぼ同じ表示サイズで番組映像ＰＶが表示されている。
【００７２】
ここで、リモコンＲＭの所定のボタン（例えばウィジットボタン）が押下されたとする。するとＴＶ受像機２のＣＰＵ１１は、ＬＡＮコントローラ２４を介して、ウィジットリスト提供サーバ４Ｂに、ウィジットリストの送信要求を送ることで、ウィジットリスト提供サーバ４Ｂからウィジットリストを取得する。
【００７３】
そしてＣＰＵ１１は、ビデオデコーダ１８及びＯＳＤ付加回路２３を制御して、取得したウィジットリストに基づくウィジットリスト画面８０（図９に示す）を、番組映像ＰＶに代えて、ディスプレイ２２に表示させる。
【００７４】
このウィジットリスト画面８０には、ウィジットリストに記載されている各ウィジットに対応するアイコン８１（例えば８１Ａ〜８１Ｃ）がウィジット名と共に縦に並べられてリスト表示される。このウィジットリスト画面８０にリスト表示される各アイコン８１は、リモコンＲＭの上下ボタン（図示せず）により選択でき、決定ボタン（図示せず）により選択決定できるようになっている。
【００７５】
ここで、リモコンＲＭの操作により各アイコン８１のうちの検索ウィジットに対応するアイコン８１Ａが選択決定されたとする。するとＣＰＵ１１は、ＬＡＮコントローラ２４を介して、ウィジット提供サーバ４Ｃに、検索ウィジットの送信要求を送ることで、ウィジット提供サーバ４Ｃから検索ウィジットを取得して実行する。
【００７６】
するとＣＰＵ１１は、ＬＡＮコントローラ２４を介して、番組情報提供サーバ４Ｃに、現在放送中の番組の番組情報の送信要求を送ることで、番組情報提供サーバ４Ｃから現在放送中の番組の番組情報を取得する。またＣＰＵ１１は、ビデオデコーダ１８及びＯＳＤ付加回路２３を制御して、取得した検索ウィジットに基づく検索ウィジット画面９０（図１０に示す）を、ウィジットリスト画面８０に代えて、ディスプレイ２２に表示させる。
【００７７】
検索ウィジット画面９０は、ディスプレイ２２の表示面２２Ａを左側の領域（これを左側領域とも呼ぶ）９０Ｌと右側の領域（これを右側領域とも呼ぶ）９０Ｒとに二分割した構成でなる。
【００７８】
ここで左側領域９０Ｌには、ウィジットボタンが押下されるまで選択されていたチャンネルの番組映像ＰＶが表示される。また右側領域９０Ｒには、番組情報提供サーバ４Ｃから取得された現在放送中の番組の番組情報に含まれる番組タイトルのリスト（これを番組タイトルリストとも呼ぶ）ＰＬが表示される。
【００７９】
この番組タイトルリストＰＬには、各チャンネルで現在放送中の番組タイトルが縦に並べてリスト表示され、各番組タイトルは、リモコンＲＭの上下ボタン（図示せず）により選択でき、決定ボタン（図示せず）により選択決定できるようになっている。
【００８０】
尚、ＣＰＵ１１は、番組情報提供サーバ４Ｃから番組情報を定期的に取得することで、番組タイトルリストＰＬの内容を更新するようになっている。
【００８１】
ここで、図１１に示すように、リモコンＲＭの操作により、番組タイトルリストＰＬのなかから、任意の番組タイトルが選択決定されたとする。
【００８２】
するとＣＰＵ１１は、検索ウィジット画面９０の左側領域９０Ｌに表示する番組映像ＰＶを、選択決定された番組タイトルに対応するチャンネルの番組映像ＰＶに切り替える。またこのときＣＰＵ１１は、直前に取得した最新の番組情報から、選択決定された番組タイトルにより識別される番組の番組情報を抽出する。
【００８３】
そしてＣＰＵ１１は、ＬＡＮコントローラ２４を介して、この番組情報と共にキーワード抽出要求をキーワード抽出サーバ４Ｄに送る。
【００８４】
尚、ここでは、番組情報に含まれる番組タイトル、放送局名、放送日時、番組概要、番組詳細、出演者名、ジャンルなどのうち、例えば、番組タイトル、番組概要、番組詳細、出演者名を、ＣＰＵ１１が、キーワード抽出サーバ４Ｄに送るようになっている。
【００８５】
この結果として、ＣＰＵ１１は、キーワード抽出サーバ４Ｄにより番組タイトル、番組概要、番組詳細、出演者名から抽出されたキーワード（すなわち固有名詞）を、キーワード抽出サーバ４Ｄから取得する。
【００８６】
次にＣＰＵ１１は、取得したキーワードを所定の順に並べて、キーワードリストを生成し、このキーワードリストの先頭のキーワードを検索キーワードとして検索要求と共に、ＬＡＮコントローラ２４を介して検索サーバ４Ｅに送る。
【００８７】
この結果として、ＣＰＵ１１は、検索サーバ４Ｅにより検索キーワードをもとにインターネット３上で検索された文字情報及び画像を、検索サーバ４Ｅから取得する。
【００８８】
するとＣＰＵ１１は、図１２に示すように、検索ウィジット画面９０の右側領域９０Ｒに、番組タイトルリストＰＬに代えて、取得した文字情報及び画像（すなわち検索キーワードをもとに検索された情報）を含む番組関連情報ＰＩを表示させる。
【００８９】
具体的に、このときの右側領域９０Ｒには、その上端部に、現在ユーザが視聴中の番組を放送している放送局名、すなわち現在左側領域９０Ｌに番組映像ＰＶとして表示されている番組を放送している放送局名（例えば「ウジテレビ」）が表示される。
【００９０】
さらにこの放送局名の下方には、現在ユーザが視聴中の番組の番組タイトル（例えば「ランキング学園」）が表示される。さらにこの番組タイトルの下方には、現在ユーザが視聴中の番組の番組情報から抽出された検索キーワード（例えばこの番組の出演者の名前である「負俣州和」）が表示される。
【００９１】
さらにこの検索キーワードの下方には、この検索キーワードをもとに検索された画像（例えば「負俣国和」の写真）が表示される。さらにこの画像の下方には、検索キーワードをもとに検索された文字情報（例えば「負俣国和」のプロフィール）が表示される。この文字情報は、リモコンＲＭの上下ボタンによりスクロールできるようになっている。
【００９２】
尚、実際上、ＴＶ受像機２は、検索サーバ４Ｅから画像を取得するのではなく、この画像のインターネット３上のアドレスを取得して、そのアドレスから画像を取得するようになっている。
【００９３】
このように、このときの右側領域９０Ｒには、現在ユーザが視聴中の番組に関する番組関連情報ＰＩとして、放送局名、番組タイトル、検索キーワード、この検索キーワードをもとに検索された画像及び文字情報が表示されるようになっている。
【００９４】
またこのとき右側領域９０Ｒに表示される検索キーワードは、リモコンＲＭの左右ボタンにより切り替えることができるようになっている。
【００９５】
ここで、例えば、リモコンＲＭの右ボタンが押下されたとする。するとＣＰＵ１１は、キーワードリストのなかから、先に検索キーワードとして選択したキーワードの次のキーワードを選択して、これを新たな検索キーワードとして検索要求と共に検索サーバ４Ｅに送る。
【００９６】
この結果として、ＣＰＵ１１は、検索サーバ４Ｅにより新たな検索キーワードをもとにインターネット３上で検索された新たな文字情報及び画像を、検索サーバ４Ｅから取得する。そしてＣＰＵ１１は、新たな検索キーワードと、新たに取得した画像及び文字情報で、右側領域９０Ｒの表示内容を更新させる。
【００９７】
このように、ＣＰＵ１１は、リモコンＲＭの操作に応じて、検索キーワードを切り替えることができ、これにともなって右側領域９０Ｒの表示内容を切り替えることができるようになっている。
【００９８】
さらに、ここで、例えば、リモコンＲＭの決定ボタンが押下されたとする。するとＣＰＵ１１は、ビデオデコーダ１８及びＯＳＤ付加回路２３を制御して、検索ウィジット画面９０に代えて、Ｗｅｂブラウザ画面（図示せず）をディスプレイ２２に表示させる。
【００９９】
このときＷｅｂブラウザ画面には、例えば、画像または文字情報を取得した先のサイトが表示される。
【０１００】
ここまで説明したように、ＴＶ受像機２は、ユーザに番組を視聴させながら、その番組に関する情報として、番組情報に限らず、番組情報から抽出したキーワードをもとに検索サーバ４Ｅに検索させたインターネット３上の情報もユーザに提供することができる。
【０１０１】
またこの情報検索システム１では、番組情報からのキーワードの抽出を、キーワード抽出サーバ４Ｄが自動的に行うようにしたことで、ユーザにキーワード入力操作などをさせることなく、キーワードをもとに検索した情報をユーザに提供できる。
【０１０２】
さらにこのようにキーワードの抽出をキーワード抽出サーバ４Ｄに行わせることで、その分、ＴＶ受像機２の処理負荷を低くすることができる。
【０１０３】
さらにこのようにキーワードの抽出をキーワード抽出サーバ４Ｄに行わせることで、キーワード抽出処理に必要な文法の規則データや単語の辞書データをＴＶ受像機２に記憶させなくてよく、その分、ＴＶ受像機２の記憶容量を小さくすることができる。
【０１０４】
さらにこのように文法の規則データや単語の辞書データをＴＶ受像機２ではなくキーワード抽出サーバ４Ｄに記憶させるようにしたことで、これらのデータの更新をキーワード抽出サーバ４Ｄ上で容易に行うことができる。
【０１０５】
（５）動作処理手順
次に、ウィジットリストの取得から検索キーワードをもとに検索された情報を表示するまでのＴＶ受像機２による処理手順（これを動作処理手順とも呼ぶ）について説明する。因みに、この動作処理手順は、ＴＶ受像機２のＣＰＵ１１がＲＯＭ１２にインストールされているプログラムにしたがって実行する処理の手順である。
【０１０６】
ＣＰＵ１１は、例えば、リモコンＲＭのウィジットボタンが押下されたことを認識すると、図１３に示す動作処理手順ＲＴ１を開始して、ステップＳＰ１に移る。
【０１０７】
ステップＳＰ１においてＣＰＵ１１は、ウィジットリスト提供サーバ４Ｂからウィジットリストを取得して、これをウィジットリスト画面８０としてディスプレイ２２に表示させ、次のステップＳＰ２に移る。
【０１０８】
ステップＳＰ２においてＣＰＵ１１は、リモコンＲＭの操作により、ウィジットリストからウィジットが選択決定されるまで待ち受け、ウィジットが選択決定されると、次のステップＳＰ３に移る。尚、ここでは、検索ウィジットが選択決定されたとする。
【０１０９】
ステップＳＰ３においてＣＰＵ１１は、ウィジット提供サーバ４Ｃから検索ウィジットを取得して、この検索ウィジットに基づき、検索ウィジット画面９０を表示させ、次のステップＳＰ４に移る。
【０１１０】
ステップＳＰ４においてＣＰＵ１１は、現在放送中の番組の番組情報を番組情報提供サーバ４Ａから取得して、この番組情報に含まれる番組タイトルのリスト（番組タイトルリストＰＬ）を検索ウィジット画面９０の右側領域９０Ｒに表示させる。そしてＣＰＵ１１は、次のステップＳＰ５に移る。
【０１１１】
ステップＳＰ５においてＣＰＵ１１は、番組タイトルリストＰＬから番組タイトルが選択決定されるまで待ち受け、視聴する番組タイトルが選択決定されると、次のステップＳＰ６に移る。尚、このときＣＰＵ１１は、ウィジット画面９０の左側領域９０Ｌに表示される番組映像ＰＶを、選択決定された番組タイトルの番組の番組映像ＰＶに切り替えるようになっている。
【０１１２】
ステップＳＰ６においてＣＰＵ１１は、ステップＳＰ４で取得した番組情報のなかから、選択決定された番組（すなわちユーザが現在視聴中の番組）の番組情報を抽出して、次のステップＳＰ７に移る。
【０１１３】
ステップＳＰ７においてＣＰＵ１１は、抽出した番組情報（すなわちユーザが現在視聴中の番組の番組情報）をキーワード抽出サーバ４Ｄに送り、次のステップＳＰ８に移る。ステップＳＰ８においてＣＰＵ１１は、キーワード抽出サーバ４Ｄにより番組情報から抽出されたキーワードを、キーワード抽出サーバ４Ｄから取得して、次のステップＳＰ９に移る。
【０１１４】
ステップＳＰ９においてＣＰＵ１１は、取得したキーワードのうちの１つを検索キーワードとして、検索サーバ４Ｅに送り、次のステップＳＰ１０に移る。ステップＳＰ１０においてＣＰＵ１１は、検索サーバ４Ｅにより検索キーワードを検索条件として検索された情報を、検索サーバ４Ｅから取得して、この情報を、番組タイトルリストＰＬに代えて、検索ウィジット画面９０の右側領域９０Ｒに表示させる。そしてＣＰＵ１１は、次のステップＳＰ１１に移る。
【０１１５】
ステップＳＰ１１においてＣＰＵ１１は、リモコンＲＭを介して、他の検索キーワードを選択する操作がなされたかどうかを判断する。ここで、他の検索キーワードを選択する操作がなされたと判断すると、ＣＰＵ１１は、他の検索キーワードを新たな検索キーワードとして選択して、ステップＳＰ９に戻り、この新たな検索キーワードを検索サーバ４Ｅに送る。
【０１１６】
これに対して、他の検索キーワードを選択する操作がなされなかったと判断すると、ＣＰＵ１１は、この動作処理手順ＲＴ１を終了する。
【０１１７】
このような動作処理手順ＲＴ１に従って、ＣＰＵ１１は、ウィジットリストの取得から検索キーワードをもとに検索された情報を表示するまでの処理を実行するようになっている。
【０１１８】
（６）動作及び効果
以上の構成において情報検索システム１では、ＴＶ受像機２が、ウィジット提供サーバ４Ｃから検索ウィジットを取得して、この検索ウィジットを実行することで、検索ウィジット画面９０を表示する。
【０１１９】
このときの検索ウィジット画面９０には、左側領域９０Ｌに、リモコンＲＭを介して選択されたチャンネルで現在放送されている番組映像ＰＶが表示される。またこのときの検索ウィジット画面９０の右側領域９０Ｒには、ＴＶ受像機２が番組情報提供サーバ４Ａから取得した現在放送中の番組の番組タイトルがチャンネルごとに表示される。
【０１２０】
ここで、任意の番組タイトルが選択決定されると、ＴＶ受像機２は、左側領域９０Ｌに表示する番組映像ＰＶをこの番組タイトルの番組映像ＰＶに切り替える。またこのときＴＶ受像機２は、この番組タイトルの番組（すなわちユーザが現在視聴中の番組）の番組情報をキーワード抽出サーバ４Ｄに送る。
【０１２１】
ＴＶ受像機２は、キーワード抽出サーバ４Ｄにより番組情報から抽出されたキーワードを取得し、このキーワードのうちの１つを検索キーワードとして検索サーバ４Ｅに送る。そしてＴＶ受像機２は、検索サーバ４Ｅにより検索キーワードをもとにインターネット３上で検索された情報を検索サーバ４Ｅから取得して、この情報を番組タイトルに代えて、検索ウィジット画面９０の右側領域９０Ｒに表示させる。
【０１２２】
こうすることでＴＶ受像機２は、ユーザが視聴中の番組に関する情報として、番組情報から抽出したキーワードをもとにインターネット３上で検索された情報をユーザに提供できる。
【０１２３】
またこの情報検索システム１では、番組情報からのキーワードの抽出を、キーワード抽出サーバ４Ｄが自動的に行うようにしたことで、キーワード入力操作などの煩わしい操作を省略することができる。
【０１２４】
またこのようにＴＶ受像機２の代わりに、キーワード抽出サーバ４Ｄにキーワードの抽出を行わせるようにしたことで、その分、ＴＶ受像機２の処理負荷を低くすることができる。
【０１２５】
またこのようにキーワードの抽出をキーワード抽出サーバ４Ｄに行わせることで、キーワードの抽出に必要な文法の規則データや単語の辞書データをＴＶ受像機２に記憶させなくてよく、その分、ＴＶ受像機２の記憶容量を小さくすることができる。
【０１２６】
以上の構成によれば、ＴＶ受像機２は、ユーザにキーワード入力操作などをさせることなく、外部のサーバ４に番組情報からキーワードを抽出させて当該キーワードをもとに検索させた結果得られる情報をユーザに提供することができる。かくしてＴＶ受像機２は、簡易な構成でありながら、放送コンテンツとしての番組に関するより多くの情報を容易にユーザに提供することができる。
【０１２７】
（７）他の実施の形態
（７−１）他の実施の形態１
尚、上述の実施の形態では、ＴＶ受像機２が、番組情報提供サーバ４Ａから現在放送中の番組の番組情報を取得するようにした。これに限らず、ＴＶ放送信号にＥＰＧ情報が含まれているのであれば、このＴＶ放送信号からＥＰＧ情報を抽出して、このＥＰＧ情報から現在放送中の番組の番組情報を取得するようにしてもよい。
【０１２８】
この場合、ＴＶ受像機２のデマルチプレクサ１６で、トランスポートストリームからオーディオデータとビデオデータとＥＰＧ情報とを分離するようにすればよい。
【０１２９】
（７−２）他の実施の形態２
また、上述の実施の形態では、情報検索システム１に、番組情報提供サーバ４Ａ、ウィジットリスト提供サーバ４Ｂ、ウィジット提供サーバ４Ｃ、キーワード抽出サーバ４Ｄ、検索サーバ４Ｅをそれぞれ別々に設けるようにした。
【０１３０】
これに限らず、例えば、ウィジットリスト提供サーバ４Ｂとウィジット提供サーバ４Ｃの両方の機能を有するサーバを、ウィジットリスト提供サーバ４Ｂとウィジット提供サーバ４Ｃの代わりに設けるようにしてもよい。また、例えば各サーバ４Ａ〜４Ｅの機能を有する１台のサーバを、各サーバ４Ａ〜４Ｅの代わりに設けるようにしてもよい。このように各サーバ４Ａ〜４Ｅの機能をまとめたサーバを設けるようにしてもよい。
【０１３１】
（７−３）他の実施の形態３
さらに、上述の実施の形態では、検索サーバ４Ｅが、番組情報から抽出した検索キーワードをもとにインターネット３上の文字情報及び画像を検索して、得られた文字情報及び画像をＴＶ受像機２に表示させるようにした。
【０１３２】
これに限らず、番組情報から抽出した検索キーワードをもとに例えば動画を検索して、得られた動画を番組関連情報としてＴＶ受像機２に表示させるようにしてもよい。また、例えば、音楽を検索して、得られた音楽を番組関連情報の表示と共に、ＴＶ受像機２に再生させるようにしてもよい。
【０１３３】
このように、検索キーワードをもとにインターネット３上の様々な情報を検索して、得られた情報（つまり番組関連情報）をユーザに提供するようにしてもよい。
【０１３４】
また一方で、検索する範囲を限定するようにしてもよい。例えば、文字情報及び画像を検索する範囲を、インターネット３上に存在する１週間以内のニュースに限定する。このようにすれば、番組に関する情報として、最近のニュースでこの番組が取り上げられた記事及びその記事に付された写真をユーザに提供することができる。
【０１３５】
また例えば、検索する範囲を、インターネット３上に存在するの商品の情報に限定する。このようにすれば、番組に関する情報として、商品の説明及びその商品の写真を広告としてユーザに提供することができ、番組に関する商品の販売促進効果が期待できる。
【０１３６】
またこのような範囲をユーザに適宜選択させるようにしてもよい。このようにすれば、番組に関する情報として、ユーザが所望する情報をユーザに提供することができる。
【０１３７】
（７−４）他の実施の形態４
さらに上述の実施の形態では、番組情報から抽出したキーワードをもとにインターネット３上の情報を検索するようにした。これに限らず、このキーワードを番組の視聴予約や録画予約に利用するようにしてもよい。
【０１３８】
例えば、ＴＶ受像機２にハードディスクドライブを搭載して、このハードディスクドライブに番組を録画できるようにする。またＴＶ受像機２が、ＴＶ放送信号からＥＰＧ情報を抽出して、このＥＰＧ情報をハードディスクドライブに記憶できるようにする。
【０１３９】
このような状況下で、ＴＶ受像機２のＣＰＵ１１が、番組情報から抽出したキーワードを、ユーザの嗜好を表す嗜好キーワードとしてハードディスクドライブに登録する。
【０１４０】
ＣＰＵ１１は、このようにして登録した嗜好キーワードが番組情報に含まれる番組を、ＥＰＧ情報から検索する。そしてＣＰＵ１１は、検索された番組を、推薦番組として、この推薦番組の視聴予約または録画予約を行う。
【０１４１】
このようにすれば、自動的に嗜好キーワードを登録して、この嗜好キーワードをもとに番組の視聴予約や録画予約を行うことができる。
【０１４２】
またウィジット検索画面９０に検索キーワードを表示している状態で、リモコンＲＭの所定のボタン（例えばキーワード登録ボタン）が押下された場合に、表示している検索キーワードを嗜好キーワードとして登録するなどしてもよい。
【０１４３】
（７−５）他の実施の形態５
さらに上述した実施の形態では、検索ウィジット画面９０に、番組映像ＰＶと共に、番組タイトルリストＰＬまたは番組関連情報ＰＩを表示するようにした。これに限らず、検索ウィジット画面９０には、番組タイトルリストＰＬまたは番組関連情報ＰＩだけを表示するようにしてもよい。
【０１４４】
またこの場合に、例えば、リモコンＲＭの所定のボタン（例えば画面切替ボタン）の押下に応じて、ＣＰＵ１１が、番組映像ＰＶの表示と、検索ウィジット画面９０の表示とを切り替えるようにしてもよい。
【０１４５】
（７−６）他の実施の形態６
さらに上述した実施の形態では、ＴＶ受像機２が、番組情報から抽出されたキーワードのうちの１つを検索キーワードとして検索サーバ４Ｅに送るようにした。これに限らず、番組情報から抽出されたキーワードのうちのいくつかを検索キーワードとして検索サーバ４Ｅに送るようにしてもよい。
【０１４６】
例えば、ＴＶ受像機２のＣＰＵ１１が、番組情報から抽出されたキーワードのうちの番組タイトルと出演者名とを、検索キーワードとして検索サーバ４Ｅに送る。このようにすれば、例えば、単に出演者名を検索キーワードとする場合よりも、より番組と関連性が高い情報を検索できる。
【０１４７】
（７−７）他の実施の形態７
さらに上述した実施の形態では、ＴＶ放送の番組に関する情報の検索に本発明を適用した。これに限らず、例えば、インターネット放送の番組に関する情報の検索に本発明を適用してもよい。またＤＶＤ（Digital  Versatile  Disc）などの記録媒体に記録されているコンテンツに関する情報の検索に本発明を適用してもよい。
【０１４８】
例えば、ＴＶ受像機２にＤＶＤプレイヤ（図示せず）を接続して、このＤＶＤプレイヤで再生されたコンテンツの映像音声をＴＶ受像機２で出力できるようにする。
【０１４９】
このような状況下で、ＴＶ受像機２のＣＰＵ１１が、ＤＶＤプレイヤを介して、ＤＶＤに記録されているコンテンツ（例えば映画）のコンテンツ名、作成者名などのコンテンツ情報を読み出す。そしてこのコンテンツ情報を、キーワード抽出サーバ４Ｄに送ることで、このコンテンツ情報から抽出されたキーワードを取得する。以降、上述した実施の形態と同様の処理を行う。
【０１５０】
このようにすれば、ＴＶ受像機２は、ユーザにＤＶＤのコンテンツを視聴させながら、そのコンテンツに関する情報として、インターネット３上で検索された情報をユーザに提供することができる。
【０１５１】
（７−８）他の実施の形態８
さらに上述した実施の形態では、ＴＶ受像機２が、ウィジット提供サーバ４Ｃから検索ウィジットを取得するようにした。これに限らず、検索ウィジットと同様のアプリケーションをあらかじめＴＶ受像機２のＲＯＭ１２に書き込んでおくようにしてもよい。
【０１５２】
（７−９）他の実施の形態９
さらに上述した実施の形態では、ＴＶ受像機２の動作処理を実行するためのプログラムを、ＴＶ受像機２のＲＯＭ１２に書き込んでおくようにした。これに限らず、このプログラムを所定の記録媒体に記録しておき、ＴＶ受像機２のＣＰＵ３０が、このプログラムを記録媒体から読み出して実行するようにしてもよい。またＲＯＭ１２の代わりにフラッシュメモリを設け、記録媒体から読み出したプログラムを、このフラッシュメモリにインストールするようにしてもよい。
【０１５３】
さらに、このプログラムを、インターネット３上の所定のサーバからダウンロードして、フラッシュメモリにインストールしてもよい。尚、所定の記録媒体としては、例えば、ＣＤ（Compact  Disc）、ＤＶＤ、メモリカードなど、任意の記録媒体を用いればよい。
【０１５４】
（７−１０）他の実施の形態１０
さらに、上述した実施の形態では、情報処理装置としてのＴＶ受像機２に、コンテンツ情報取得部、キーワード取得部、検索情報取得部として、ＣＰＵ１１及びＬＡＮコントローラ２４を設けるようにした。またＴＶ受像機２に、表示制御部としてのＣＰＵ１１を設けるようにした。さらにＴＶ受像機２に、番組映像取得部としてのチューナ１４、デスクランブラ１５及びデマルチプレクサ１６を設けるようにした。さらにＴＶ受像機２に、再生部としてのビデオデコーダ１７を設けるようにした。
【０１５５】
これに限らず、同様の機能を有するのであれば、上述したＴＶ受像機２の各機能部を、他の種々のハードウェアもしくはソフトウェアにより構成するようにしてもよい。
【０１５６】
また、同様の機能を有する情報処理装置であれば、ＴＶ受像機２に限らず、パーソナルコンピュータ、携帯型電話機など、この他種々の情報処理装置に本発明を適用してもよい。
【０１５７】
（７−１１）他の実施の形態１１
さらに、本発明は、上述した実施の形態とここまで説明した他の実施の形態１〜１０とに限定されるものではない。すなわち本発明は、上述した実施の形態及び他の実施の形態１〜１０の一部または全部を任意に組み合わせた形態、もしくは一部を抽出した形態にもその適用範囲が及ぶものである。
【０１５８】
例えば、他の実施の形態３と他の実施の形態７とを組み合わせてもよい。こうすれば、ユーザにＤＶＤのコンテンツを視聴させながら、そのコンテンツに関する情報として、インターネット３上で検索された動画や音声をユーザに提供することもできる。
【産業上の利用可能性】
【０１５９】
本発明は、インターネット接続可能なＴＶ受像機で広く利用することができる。
【図面の簡単な説明】
【０１６０】
【図１】情報検索システムの構成を示す略線図である。
【図２】ＴＶ受像機の内部構成を示すブロック図である。
【図３】ウィジットリスト提供サーバの内部構成を示すブロック図である。
【図４】ウィジット提供サーバの内部構成を示すブロック図である。
【図５】番組情報提供サーバの内部構成を示すブロック図である。
【図６】キーワード抽出サーバの内部構成を示すブロック図である。
【図７】検索サーバの内部構成を示すブロック図である。
【図８】番組映像の表示の説明に供する略線図である。
【図９】ウィジットリストの表示の説明に供する略線図である。
【図１０】検索ウィジット画面（１）を示す略線図である。
【図１１】検索ウィジット画面（２）を示す略線図である。
【図１２】検索ウィジット画面（３）を示す略線図である。
【図１３】ＴＶ受像機の動作処理手順を示すフローチャートである。
【符号の説明】
【０１６１】
１……情報検索システム、２……ＴＶ受像機、３……インターネット、４Ａ……番組情報提供サーバ、４Ｂ……ウィジットリスト提供サーバ、４Ｃ……ウィジット提供サーバ、４Ｄ……キーワード抽出サーバ、４Ｅ……検索サーバ、１１……ＣＰＵ、１４……チューナ、１５……デスクランブラ、１６……デマルチプレクサ、１８……ビデオデコーダ、２２……ディスプレイ、２４……ＬＡＮコントローラ。
【図１】
2010087976.tif 000003
【図２】
2010087976.tif 000004
【図３】
2010087976.tif 000005
【図４】
2010087976.tif 000006
【図５】
2010087976.tif 000007
【図６】
2010087976.tif 000008
【図７】
2010087976.tif 000009
【図８】
2010087976.tif 000010
【図９】
2010087976.tif 000011
【図１０】
2010087976.tif 000012
【図１１】
2010087976.tif 000013
【図１２】
2010087976.tif 000014
【図１３】
2010087976.tif 000015